(57)【特許請求の範囲】
【請求項１】
取付部材と、
前記取付部材に取り付けられ、前記取付部材との間に内部空間を形成する覆い部材と、
前記覆い部材に形成され、一端側が電子部品に接続された配線の他端側を前記内部空間の内側から外側に引き出すための貫通孔とを備える遊技機であって、
前記取付部材と前記覆い部材との間に、
前記取付部材の前記覆い部材が取り付けられる面を上向きとし、かつ、前記配線の他端側を前記取付部材の上向きとされた面における前記内部空間の外側の所定位置に這わせて仮置きした状態で、前記取付部材に前記覆い部材を取り付けたとき、前記取付部材と前記覆い部材との間に前記配線が噛み込まれないように前記配線を通す仮置き配線通し部を備え、
前記仮置き配線通し部は、
前記取付部材に前記覆い部材を取り付けた後、前記内部空間の外側に仮置きした前記配線の他端側を前記内部空間の内側に引き込むことが可能な形状とし、
前記貫通孔は、
前記取付部材に前記覆い部材を取り付けた後に前記仮置き配線通し部を介して前記内部空間の内側に引き込んだ前記配線の他端側を前記内部空間の外側に引き出すことが可能な形状としたことを特徴とする遊技機。
【請求項２】
取付部材と、
前記取付部材に取り付けられ、前記取付部材との間に内部空間を形成する覆い部材と、
前記覆い部材に形成され、一端側が電子部品に接続された配線の他端側を前記内部空間の内側から外側に引き出すための貫通孔とを備える遊技機の製造方法であって、
前記取付部材の前記覆い部材が取り付けられる面を上向きとした状態で、前記配線の他端側を前記取付部材の上向きとされた面における前記内部空間の外側の所定位置に這わせて仮置きする第１の工程と、
仮置きした前記配線の他端側が前記取付部材と前記覆い部材との間に設けられた仮置き配線通し部を通ることによって、前記取付部材と前記覆い部材との間に前記配線が噛み込まれることを回避しつつ、前記取付部材に前記覆い部材を取り付ける第２の工程と、
前記内部空間の外側から前記貫通孔を介して前記配線を捕捉し、捕捉した前記配線を前記貫通孔から前記内部空間の外側に引き出す第３の工程とを備え、
前記第３の工程によって、前記内部空間の外側に仮置きした前記配線の他端側を前記仮置き配線通し部を介して一旦前記内部空間の内側に引き込み、その後、前記内部空間の内側から前記貫通孔を介して前記内部空間の外側に引き出すことを特徴とする遊技機の製造方法。
【発明の詳細な説明】
【技術分野】
【０００１】
本発明は、パチンコ機などの遊技機及び遊技機の製造方法に関する。
【背景技術】
【０００２】
パチンコ機などの遊技機では、入賞口センサ、入賞装置などの電子部品が取り付けられる遊技盤の後面側に対し、制御基板などを支持する裏ユニットを取り付けている。
そして、遊技盤に対する裏ユニットの取り付けに際しては、通常、電子部品にあらかじめ配線の一端側を接続しておき、裏ユニットの取付後に配線の他端側を制御基板などに接続するようにしている。
【０００３】
従来、上記のような組み立てを行う遊技機では、組み立て時の配線作業を容易にするために、裏ユニットの側面部に切欠き状の配線取出口を形成していた（たとえば、特許文献１〜３参照）。
すなわち、このような遊技機では、遊技盤に裏ユニットを取り付けるにあたり、裏ユニットを取り付ける面が上を向くように遊技盤を作業台上に載置した後、一端側が電子部品に接続された配線の他端側を、遊技盤における裏ユニットの取付位置よりも外側に引き出し、その後、引き出した配線が配線取出口を通るように遊技盤に対して裏ユニットを取り付けていた。
【先行技術文献】
【特許文献】
【０００４】
【特許文献１】特開平１０−１１８２７４号公報
【特許文献２】特開平１０−１１８２７５号公報
【特許文献３】特開平７−５９９３０号公報
【発明の概要】
【発明が解決しようとする課題】
【０００５】
上記のような組み立ては、遊技機の他所にも適用されている。たとえば、図１４に示すように、スピーカ、ＬＥＤ基板などの電子部品が取り付けられる前扉体１００に対し、その裏面側を覆うカバー部材１０１を取り付ける場合もこれに相当する。そして、この場合も共通の課題を有するので、以下の説明では、適宜、遊技盤や前扉体１００を取付部材と総称するとともに、裏ユニットやカバー部材１０１を覆い部材と総称する。
【０００６】
近年、遊技機における電子部品の増加に伴い、前記配線の他端側を覆い部材の取付位置の外側に向けて引き出すような設計が困難になり、覆い部材の取付位置から離して形成した貫通孔から配線の他端側を引き出すことが要求されている。
その理由は、配線の他端側を覆い部材の取付位置の外側に向けて引き出すような設計では、配線が長くなるだけでなく、配線によってレイアウトの自由度が低下するからと考えられる。
【０００７】
たとえば、近年では、遊技盤に取り付けられる電子部品の増加に伴い、一端側が遊技盤に接続された配線の他端側を、裏ユニットの側面部を経由することなく、配線の他端側が接続される裏ユニットの後面側（制御基板のコネクタに近い位置）に直接引き出すことが要求されている。
また、裏ユニットは、大型化や支持部材の増加に伴い、組み立て作業時には両手で取り扱うことが要求されている。
【０００８】
しかしながら、上記のように配線を引き出す遊技機では、遊技盤に裏ユニットを取り付ける際に、少なくとも、裏ユニットを遊技盤に接近させた位置で支持する作業者と、配線の他端側を裏ユニットの貫通孔から引き出す作業者が必要になるので、一人の作業者による組み立てが困難になり、生産性の低下や製造コストの上昇をまねくという問題があった。
【０００９】
本発明は、このような事情に鑑みてなされたものであり、その目的は、取付部材に覆い部材を取り付けるにあたり、電子部品に一端側が接続された配線の他端側を覆い部材の貫通孔から引き出すものでありながら、一人の作業者による組み立てを可能にし、生産性の向上や製造コストの削減を図ることができる遊技機及び遊技機の製造方法を提供することにある。
【課題を解決するための手段】
【００１０】
本発明は、以下の構成によって把握することができる。
すなわち、本発明の遊技機は、取付部材と、前記取付部材に取り付けられ、前記取付部材との間に内部空間を形成する覆い部材と、前記覆い部材に形成され、一端側が電子部品に接続された配線の他端側を前記内部空間の内側から外側に引き出すための貫通孔とを備える遊技機であって、前記取付部材と前記覆い部材との間に、前記取付部材の前記覆い部材が取り付けられる面を上向きとし、かつ、前記配線の他端側を前記取付部材の上向きとされた面における前記内部空間の外側の所定位置に這わせて仮置きした状態で、前記取付部材に前記覆い部材を取り付けたとき、前記取付部材と前記覆い部材との間に前記配線が噛み込まれないように前記配線を通す仮置き配線通し部を備え、前記仮置き配線通し部は、前記取付部材に前記覆い部材を取り付けた後、前記内部空間の外側に仮置きした前記配線の他端側を前記内部空間の内側に引き込むことが可能な形状とし、前記貫通孔は、前記取付部材に前記覆い部材を取り付けた後に前記仮置き配線通し部を介して前記内部空間の内側に引き込んだ前記配線の他端側を前記内部空間の外側に引き出すことが可能な形状としたことを特徴とする。
【００１１】
また、本発明は、取付部材と、前記取付部材に取り付けられ、前記取付部材との間に内部空間を形成する覆い部材と、前記覆い部材に形成され、一端側が電子部品に接続された配線の他端側を前記内部空間の内側から外側に引き出すための貫通孔とを備える遊技機の製造方法であって、前記取付部材の前記覆い部材が取り付けられる面を上向きとした状態で、前記配線の他端側を前記取付部材の上向きとされた面における前記内部空間の外側の所定位置に這わせて仮置きする第１の工程と、仮置きした前記配線の他端側が前記取付部材と前記覆い部材との間に設けられた仮置き配線通し部を通ることによって、前記取付部材と前記覆い部材との間に前記配線が噛み込まれることを回避しつつ、前記取付部材に前記覆い部材を取り付ける第２の工程と、前記内部空間の外側から前記貫通孔を介して前記配線を捕捉し、捕捉した前記配線を前記貫通孔から前記内部空間の外側に引き出す第３の工程とを備え、前記第３の工程によって、前記内部空間の外側に仮置きした前記配線の他端側を前記仮置き配線通し部を介して一旦前記内部空間の内側に引き込み、その後、前記内部空間の内側から前記貫通孔を介して前記内部空間の外側に引き出すことを特徴とする。
【発明の効果】
【００１２】
本発明によれば、取付部材に覆い部材を取り付けるにあたり、電子部品に一端側が接続された配線の他端側を覆い部材の貫通孔から引き出すものでありながら、一人の作業者による組み立てを可能にし、生産性の向上や製造コストの削減を図ることができる。
【図面の簡単な説明】
【００１３】
【図１】本発明の実施形態に係る遊技機の遊技盤を示す概略正面図である。
【図２】本発明の実施形態に係る遊技機の遊技盤に裏ユニットを取り付けた状態（始動口及び大入賞口以外の取付部品は省略）を示す正面図である。
【図３】本発明の実施形態に係る遊技機の遊技盤に裏ユニットを取り付けた状態を示す後面図である。
【図４】本発明の実施形態に係る遊技機の遊技盤に裏ユニットを取り付けた状態を示す下面図である。
【図５】本発明の実施形態に係る遊技機の遊技盤に裏ユニットを取り付けた状態を示す側面図である。
【図６】本発明の実施形態に係る遊技機の遊技盤に裏ユニットを取り付けた状態を示す後面側の斜視図である。
【図７】本発明の実施形態に係る遊技機の製造方法（遊技盤と裏ユニットの組み立て）における第１の工程を示す斜視図である。
【図８】本発明の実施形態に係る遊技機の製造方法における第２の工程を示す斜視図である。
【図９】本発明の実施形態に係る遊技機の製造方法における第３の工程を示す斜視図である。
【図１０】本発明の第一実施形態に係る遊技機の製造方法を示す説明図であり、（Ａ）は第２の工程の完了後を示す斜視図、（Ｂ）は第３の工程の完了後を示す斜視図である。
【図１１】本発明の第二実施形態に係る遊技機の製造方法で用いる摘み部の斜視図である。
【図１２】本発明の第二実施形態に係る遊技機の製造方法を示す説明図であり、（Ａ）は第３の工程を示す斜視図、（Ｂ）は第３の工程の完了後を示す斜視図である。
【図１３】（Ａ）は本発明の実施形態に係る遊技機の概要を示す斜視図、（Ｂ）はその分解斜視図である。
【図１４】参考例に係る遊技機の概略上面図である。
【発明を実施するための形態】
【００１４】
以下、添付図面を参照して、本発明を実施するための形態（以下、実施形態）について詳細に説明する。なお、実施形態の説明の全体を通して同じ要素には同じ番号を付している。
【００１５】
図１は、本発明の実施形態に係る遊技機の遊技盤を示す概略正面図である。
この図において、遊技盤１０の周辺の若干の領域を除く中央部は遊技領域１１となっている。遊技領域１１はほぼ円形のガイドレール１２に囲まれるように構成され、このガイドレール１２は、図中下側から左肩側にかけて外側レール１２Ａと内側レール１２Ｂを備え、パチンコ球を外側レール１２Ａと内側レール１２Ｂの間の通路を通して遊技領域１１の上方へ導くようになっている。パチンコ球は、図示しない機枠に取り付けられた操作レバーによって駆動される打槌機構によって、図中下側から外側レール１２Ａと内側レール１２Ｂの間の通路に発射されるようになっている。なお、遊技領域１１の上方から落下するパチンコ球は、後述する入賞口、始動口等に入賞したものを除いて、遊技領域１１の最下端位置に設けられたアウト口１３を通して回収されるようになっている。
【００１６】
遊技盤１０の遊技領域１１のほぼ中央であって若干上側に偏位した位置に矩形状の開口１４が形成されている。遊技盤１０の裏面にはたとえば液晶表示器からなる画像表示装置１５が配置され、この画像表示装置１５の表示面１５Ａは前記開口１４を通して目視できるようになっている。画像表示装置１５は、たとえば、パチンコ遊技の最中においてインフォメーションを表示し、あるいは入賞の際にその興奮を盛り上げさせるような工夫がされた画像を表示するようになっている。
【００１７】
遊技領域１１の画像表示装置１５の下部には、たとえば、表示面１５Ａ（開口１４）の下辺に沿い遊技者側に若干突出するステージ１６が設けられている。このステージ１６の上面はたとえば波状の湾曲面となっており、その水平方向における中央部の下部には排出口１７が設けられている。パチンコ球は、表示面１５Ａ（開口１４）のたとえば左肩近傍からステージ１６に連結されるワープルート（図示せず）を通して該ステージ１６の上面に至った場合、パチンコ球はステージ１６の円弧面上を揺動しながら排出口１７に落下できるようになっている。
【００１８】
また、遊技領域１１の前記排出口１７の下部には、始動口１８が設けられており、この始動口１８の下方には大入賞口１９が設けられている。始動口１８にパチンコ球が入賞した際に、画像表示装置１５の画面上に表示されている特別図柄の変動が所定時間行われるようになっており、画像表示装置１５に複数の特別図柄が特定の停止表示態様で停止表示すると、大当たり遊技状態として、大入賞口扉１９Ａが予め定められた作動条件に従って開閉するようになっている。
【００１９】
なお、遊技領域１１には、上述した始動口１８等の部材の他に、複数の障害釘、風車等が散在されて設けられ、これら障害釘、風車等に当たったパチンコ球は、その当たり方に応じた方向に落下できるようになっている。
【００２０】
図２は、本発明の実施形態に係る遊技機の遊技盤に裏ユニットを取り付けた状態（始動口及び大入賞口以外の取付部品は省略）を示す正面図、図３は、本発明の実施形態に係る遊技機の遊技盤に裏ユニットを取り付けた状態を示す後面図、図４は、本発明の実施形態に係る遊技機の遊技盤に裏ユニットを取り付けた状態を示す下面図、図５は、本発明の実施形態に係る遊技機の遊技盤に裏ユニットを取り付けた状態を示す側面図、図６は、本発明の実施形態に係る遊技機の遊技盤に裏ユニットを取り付けた状態を示す後面側の斜視図である。
これらの図に示すように、遊技盤（取付部材）１０の後面側には、裏ユニット（覆い部材）２０が取り付けられる。裏ユニット２０は、制御基板３０など多くの部品が取り付けられる大型のユニットであり、遊技機の組み立てに際しては両手で取り扱うことが要求される。
【００２１】
図７は、本発明の実施形態に係る遊技機の製造方法（遊技盤と裏ユニットの組み立て）における第１の工程を示す斜視図、図８は、本発明の実施形態に係る遊技機の製造方法における第２の工程を示す斜視図、図９は、本発明の実施形態に係る遊技機の製造方法における第３の工程を示す斜視図である。
図７に示すように、遊技盤１０には、始動口１８や大入賞口１９に係る入賞口センサ、入賞装置などの電子部品４０が取り付けられ、各電子部品４０には、配線５０の一端側が接続される。
【００２２】
図９に示すように、裏ユニット２０は、配線５０の一端側を覆うように遊技盤１０の後面側に取り付けられる。このとき、遊技盤１０と裏ユニット２０との間には内部空間が形成される。また、裏ユニット２０には、図９に示すように、配線５０の他端側（コネクタ５１）を裏ユニット２０の内側から挿入して裏ユニット２０の外側に引き出すための貫通孔２１が形成されている。
【００２３】
さらに、裏ユニット２０には、図８に示すように、遊技盤１０の後面側を上向きとし、かつ、配線５０の他端側を遊技盤１０の後面における前記内部空間の外側の所定位置に這わせて仮置きした状態で、遊技盤１０の後面に裏ユニット２０を取り付けたとき、遊技盤１０の後面と裏ユニット２０の側壁端部との間に配線５０が噛み込まれないように配線５０を通す切欠き状の仮置き配線通し部２２が形成されている。そして、仮置き配線通し部２２は、遊技盤１０に裏ユニット２０を取り付けた後であっても、上記のように仮置きした配線５０の他端側を遊技盤１０と裏ユニット２０との間に形成される内部空間の内側に引き込むことが可能な形状、すなわち、配線５０の他端側に設けられるコネクタ５１が通過可能な形状としてある。
【００２４】
また、前述した貫通孔２１は、配線５０の他端側を遊技盤１０と裏ユニット２０との間に形成される内部空間の外側に仮置きした状態で、裏ユニット２０の外側から作業者の手指または治具を挿入して配線５０を捕捉可能な形状、または配線５０を捕捉可能な状態で露出させる形状であって、かつ捕捉した配線５０の他端側を裏ユニット２０の内側から挿入して裏ユニット２０の外側に引き出すことが可能な形状としてある。たとえば、図７〜図９に示す貫通孔２１は、治具を挿入可能で、かつ、配線５０の他端側に設けられるコネクタ５１が通過可能が形状としてある。
【００２５】
このように構成された遊技機によれば、遊技盤１０に裏ユニット２０を取り付けるにあたり、遊技盤１０に取り付けられた電子部品４０の配線５０の他端側を裏ユニット２０の貫通孔２１から引き出すものでありながら、以下に示す第１〜第３の工程により、一人の作業者による組み立てが可能になる。
【００２６】
まず、第１の工程では、図７に示すように、遊技盤１０の後面を上向きとし、配線５０の他端側を遊技盤１０と裏ユニット２０との間に形成される内部空間の外側に這わせて仮置きする。このとき、配線５０の他端側を引き出す位置は、第２の工程で遊技盤１０の後面に裏ユニット２０を取り付けたとき、仮置きした配線５０が裏ユニット２０の仮置き配線通し部２２を通る位置とする。
【００２７】
次に、第２の工程では、図８に示すように、遊技盤１０の後面に裏ユニット２０を取り付ける。このとき、仮置きした配線５０の他端側が裏ユニット２０の仮置き配線通し部２２を通ることによって、遊技盤１０の後面と裏ユニット２０の側壁端部との間に配線５０が噛み込まれることを回避できる。なお、第２の工程における裏ユニット２０の取り付けは、仮組みであってもよいし、ネジなどによる固定であってもよい。
【００２８】
次に、第３の工程では、図９に示すように、裏ユニット２０の貫通孔２１を介して配線５０を捕捉し、配線５０の他端側を貫通孔２１から裏ユニット２０の外側に引き出す。たとえば、裏ユニット２０の外側から貫通孔２１に治具を挿入して配線５０を捕捉し、裏ユニット２０の外側に引き出す。すなわち、第３の工程においては、遊技盤１０と裏ユニット２０との間に形成される内部空間の外側に仮置きした配線５０の他端側を、仮置き配線通し部２２を介して内部空間の内側に一旦引き込み、その後、内部空間の内側から貫通孔２１を介して内部空間の外側に引き出す。そして、裏ユニット２０の貫通孔２１から引き出した配線５０の他端側は、裏ユニット２０の後面側に設けられた制御基板３０に接続される。
【００２９】
次に、本発明に係る遊技機及びその製造方法の細部について、第一実施形態と第二実施形態とに分けて説明する。ただし、これらの実施形態では、２系統の配線５０を重合または結束して１本の配線５０として取り扱うものとする。
【００３０】
図１０は、本発明の第一実施形態に係る遊技機の製造方法を示す説明図であり、（Ａ）は第２の工程の完了後を示す斜視図、（Ｂ）は第３の工程の完了後を示す斜視図である。
図１０の（Ａ）は、前述した第２の工程によって、遊技盤１０の後面に裏ユニット２０が取り付けられた状態を示している。このとき、仮置きした配線５０の他端側が裏ユニット２０の仮置き配線通し部２２を通ることによって、遊技盤１０の後面と裏ユニット２０の側壁端部との間に配線５０が噛み込まれることを回避できる。
【００３１】
しかしながら、第２の工程で遊技盤１０の後面に裏ユニット２０を取り付けたとき、仮置きした配線５０が裏ユニット２０の仮置き配線通し部２２を通るようにするには、第１の工程で配線５０の他端側を所定の位置に正確に仮置きすることが要求される可能性がある。たとえば、仮置き配線通し部２２の幅寸法が強度などの関係で十分に大きく確保できない場合には、配線５０の仮置きに際して厳密な位置合わせが要求される。
【００３２】
本実施形態では、上記のような問題を解決するために、裏ユニット２０の側壁部における仮置き配線通し部２２の一側方または両側方に、仮置き配線通し部２２よりも高さ寸法が小さい切欠きであって、裏ユニット２０を取り付けた状態でも遊技盤１０の後面に沿った配線５０の移動を許容する隙間２３を延設している。このような隙間２３によれば、第２の工程で遊技盤１０の後面に裏ユニット２０を取り付けたとき、仮置きした配線５０が仮置き配線通し部２２の左右に位置ずれしていたとしても、仮置きされた配線５０は、遊技盤１０の後面と裏ユニット２０の側壁端部との間に噛み込まれることなく、遊技盤１０の後面に沿った移動によって仮置き配線通し部２２内に通すことができるので、第１の工程において配線５０の厳密な位置合わせが不要になる。
【００３３】
第３の工程においては、仮置きされた配線５０を貫通孔２１を介して捕捉し、裏ユニット２０の外側に引き出す。このとき、裏ユニット２０の外側から貫通孔２１に作業者の手指や治具を挿入して配線５０を捕捉するにあたり、配線５０の捕捉を容易にするために、仮置き配線通し部２２の高さ寸法を可及的に大きくすることが好ましい。すなわち、仮置きした配線５０の他端側を遊技盤１０の外側に引っ張りながら、仮置き配線通し部２２の高さ方向（遊技盤１０の後面から離れる方向）に持ち上げると、配線５０が貫通孔２１に近付き、配線５０の捕捉が容易になるからである。
【００３４】
なお、仮置き配線通し部２２の上側には、貫通孔２１と仮置き配線通し部２２との間を仕切る梁状の連結部２４が形成されている。この連結部２４は、裏ユニット２０の強度や成形性を確保するために必要な部分であるから、仮置き配線通し部２２の高さ寸法を決める際には、連結部２４の寸法も考慮する必要がある。
【００３５】
図１０の（Ｂ）は、第３の工程によって裏ユニット２０の貫通孔２１から配線５０の他端側に設けられたコネクタ５１を引き出して制御基板３０に接続した状態を示している。このように、裏ユニット２０の貫通孔２１から配線５０の他端側に設けられたコネクタ５１を引き出して制御基板３０に接続するにあたり、貫通孔２１は、仮置きした配線５０の捕捉を容易にするために広く開口した配線捕捉用開口部２１ａと、配線５０の他端側を引き出した後、配線５０の他端側が裏ユニット２０の内側に落下することを防止するために開口幅が狭められた配線通し用開口部２１ｂとを連続的に備えることが好ましい。
【００３６】
次に、本発明の第二実施形態に係る遊技機の構成及び製造方法について、図１１及び図１２を参照して説明する。ただし、第一実施形態と共通する部分については、第一実施形態と同じ符号を付け、第一実施形態の説明を援用する。
【００３７】
図１１は、本発明の第二実施形態に係る遊技機の製造方法で用いる摘み部の斜視図である。
この図に示すように、本発明の第二実施形態は、第３の工程における配線５０の捕捉を容易にするために、配線５０に摘み部５２を設けている点が第一実施形態と相違している。本実施形態の摘み部５２は、図１１に示すように、フラットケーブルからなる配線５０が遊技盤１０の後面に沿うとき、上下二方向に延出する形状を有するものであり、第３の工程における配線５０の捕捉に際して貫通孔２１（配線捕捉用開口部２１ａ）の下方に位置するように配線５０に対する取付位置が規定される。
【００３８】
図１２は、本発明の第二実施形態に係る遊技機の製造方法を示す説明図であり、（Ａ）は第３の工程を示す斜視図、（Ｂ）は第３の工程の完了後を示す斜視図である。
図１２の（Ａ）は、仮置きされた配線５０の他端側を裏ユニット２０の貫通孔２１から捕捉しようとしている状態を示している。このとき、仮置きした配線５０の他端側を遊技盤１０の外側に引っ張りながら、仮置き配線通し部２２の高さ方向（遊技盤１０の後面から離れる方向）に持ち上げると、配線５０の一部である摘み部５２が貫通孔２１から露出した状態、または貫通孔２１に極めて近付いた状態となり、配線５０の捕捉が容易になる。
【００３９】
図１２の（Ａ）などに示すように、裏ユニット２０の内側には、貫通孔２１の一部である配線捕捉用開口部２１ａの両側縁部から下方に延出する一対の誘導壁２５が形成されている。これらの誘導壁２５は、第３の工程において配線５０を貫通孔２１に導くように作用するだけでなく、摘み部５２が上下方向を向くようにガイドすることもできる。そのため、摘み部５２の両端までの長さ寸法Ｌは、一対の誘導壁２５の間隔Ｗよりも長くすることが好ましい。このようにすると、摘み部５２が一方または両方の誘導壁２５に接触し、上下方向を向くようにガイドされるからである。
【００４０】
図１２の（Ｂ）は、第３の工程によって裏ユニット２０の貫通孔２１から配線５０の他端側に設けられたコネクタ５１を引き出して制御基板３０に接続した状態を示している。このとき、配線５０に設けられた摘み部５２は、貫通孔２１の配線通し用開口部２１ｂに外側から係合させることにより、配線５０の他端側が裏ユニット２０の内側に落下することを防止するストッパ部材として機能させることができる。
【００４１】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【００４２】
たとえば、上述した実施態様では、遊技盤と裏ユニットの組み立てを挙げて本発明を説明したものである。しかし、本発明は遊技機のそれ以外の部分にも適用することができる。
【００４３】
すなわち、本発明は、図１３に示すように、電子部品１が取り付けられ、その配線２の一端側が接続される取付部材３と、配線２の一端側を覆うように取付部材３に取り付けられる覆い部材４と、覆い部材４に形成され、配線２の他端側を引き出すための貫通孔４ａとを備える遊技機であれば適用できるものであり、上述した実施態様は、取付部材３として遊技盤１０、覆い部材４として裏ユニット２０を例示したものである。たとえば、図１４に示すように、スピーカ、ＬＥＤ基板などの電子部品が取り付けられる前扉体１００に対し、その裏面側を覆うカバー部材１０１を取り付ける場合にも適用することができる。
【００４４】
なお、図１３では、貫通孔４ａから引き出した配線２の他端側を、覆い部材４で支持された制御基板５に接続しているが、配線２の他端側の接続先はこれに限定されず、任意に定めることができる。また、取付部材３に対する電子部品１の取り付け方向は、取付部材３の表裏いずれからでもよい。また、前記実施形態では、電子部品１を取付部材３に直接取り付けているが、他の構成要素を介して間接的に取り付けてもよい。また、前記実施形態では、配線２の一端側を取付部材３と覆い部材４との間に形成される内部空間の内側に配置しているが、内部空間の外側に配線２の一端側を配置するようにしてもよい。
【００４５】
また、図１３や上述した実施態様では、配線２の他端側を取付部材３と覆い部材４との間に形成される内部空間の外側に仮置きした状態で、取付部材３に覆い部材４を取り付けたとき、取付部材３と覆い部材４との間に配線２が噛み込まれないように配線２を通す仮置き配線通し部４ｂを覆い部材４の切欠きとして形成している。しかし、仮置き配線通し部４ｂは、取付部材４と覆い部材４との間に設けられていればよく、取付部材３側の溝として形成してもよい。
【００４６】
また、図１３や上述した実施態様では、配線２が引き出される貫通孔４ａを覆い部材４の後面部に形成しているが、覆い部材４の側壁部に形成された貫通孔４ａにも適用することができる。
【００４７】
また、上述した実施態様では、遊技機の一例としてパチンコ機を挙げて本発明を説明したものである。しかし、本発明はパチンコ機に限定されることはなく、たとえばパチスロ機（スロットマシン）のような他の遊技機にも適用することができる。
【符号の説明】
【００４８】
１……電子部品、２……配線、３……取付部材、４……覆い部材、４ａ……貫通孔、４ｂ……仮置き配線通し部、５……制御基板、１０……遊技盤、２０……裏ユニット、２１……貫通孔、２１ａ……配線捕捉用開口部、２１ｂ……配線通し用開口部、２２……仮置き配線通し部、２３……隙間、２４……連結部、２５……誘導壁、３０……制御基板、４０……電子部品、５０……配線、５１……コネクタ、５２……摘み部
【図１】
0005609840.tif 000002
【図２】
0005609840.tif 000003
【図３】
0005609840.tif 000004
【図４】
0005609840.tif 000005
【図５】
0005609840.tif 000006
【図６】
0005609840.tif 000007
【図７】
0005609840.tif 000008
【図８】
0005609840.tif 000009
【図９】
0005609840.tif 000010
【図１０】
0005609840.tif 000011
【図１１】
0005609840.tif 000012
【図１２】
0005609840.tif 000013
【図１３】
0005609840.tif 000014
【図１４】
0005609840.tif 000015